(57)【要約】  本発明の一面によれば、１個またはそれ以上のレザーカートリッジ（３８）のためのディスペンサ（１０）は、ベース（１２）、２つの側壁（１４）、前壁（１６）、後壁（１８）、第１の仕切り（２０）、第２の仕切り（２２）、カバー（２４）、及び側ばね（２６）を含む。第１の仕切りは前壁と後壁との間に配置されている。第２の仕切りは第１の仕切りと前壁との間に配置され、第２の仕切りと第１の仕切りとの間にチャンバ（３６）を形成する。このチャンバは、レザーカートリッジの少なくとも一部分を受入れるような大きさ及び形状である。カバーは、第１の仕切りと第２の仕切りとの間のチャンバ上に部分的に延び、レザーカートリッジをチャンバ内へ挿入することを可能にする開口（４８）が得られるような大きさである。側ばねは、チャンバ内を横方向に延びている。カバー及び側ばねは、レザーカートリッジがチャンバ内に挿入された時にレザーカートリッジと摩擦係合する。
2008537503.tif 000002
【特許請求の範囲】
【請求項１】
長さ（Ｌ）及び幅（Ｗ）を有するベース（１２）、２つの側壁（１４）、前壁（１６）、後壁（１８）を含み、前記２つの側壁（１４）が前記ベース（１２）に沿って長さ方向に走り且つ前記ベース（１２）から上方に延び、前記前壁（１６）及び前記後壁（１８）が各々前記ベース（１２）に沿って幅方向に走り且つ前記２つの側壁（１４）の間を前記ベース（１２）から上方に延びているようなディスペンサ（１０）において、
前記前壁（１６）と前記後壁（１８）との間に配置され、前記２つの側壁（１４）の間を少なくとも部分的に延びている第１の仕切り（２０）と、
前記第１の仕切り（２０）と前記前壁（１６）との間に配置され、前記２つの側壁（１４）の間を少なくとも部分的に延びている第２の仕切り（２２）と、
を含み、前記第２の仕切り（２２）は、前記第２の仕切り（２２）と前記第１の仕切り（２０）との間にチャンバ（３６）を形成し、前記チャンバ（３６）は、レザーカートリッジ（３８）の少なくとも一部分を受入れるような大きさ及び形状であり、
前記ディスペンサは更に、前記第１の仕切り（２０）と前記第２の仕切り（２２）との間の前記チャンバ（３６）上を部分的に延びるカバー（２４）を含み、前記カバー（２４）は、前記レザーカートリッジ（３８）を前記チャンバ（３６）内に挿入するために前記レザーカートリッジ（３８）を選択的に通過させることを可能にする開口（４８）が得られるような大きさであり、
前記ディスペンサは更に、前記チャンバ（３６）内を幅方向に延びる少なくとも１つの側ばね（２６）を含み、
前記カバー（２４）及び前記側ばね（２６）は、前記レザーカートリッジ（３８）が前記チャンバ（３６）内に挿入された時に前記レザーカートリッジ（３８）と摩擦係合する
ことを特徴とするディスペンサ（１０）。
【請求項２】
前記第２の仕切り（２２）と前記前壁（１６）との間に前側仕切り（５２）を更に含むことを特徴とする請求項１に記載のディスペンサ（１０）。
【請求項３】
前記前側仕切り（５２）は、前記前壁（１６）と前記前側仕切（５２）との間にカートリッジを受入れるような大きさ及び形状の前側チャンバ（５０）を形成することを特徴とする請求項２に記載のディスペンサ（１０）。
【請求項４】
前側カバー（５４）が前記前側チャンバ（５０）を部分的に覆っており、前記前側カバー（５４）は前記前壁（１６）と一体であることを特徴とする請求項３に記載のディスペンサ（１０）。
【請求項５】
前記第１の仕切り（２０）と前記後壁（１８）との間に後側仕切り（５６）を更に含むことを特徴とする請求項１に記載のディスペンサ（１０）。
【請求項６】
前記カバー（２４）は、前記第１の仕切り（２０）と一体であることを特徴とする請求項１に記載のディスペンサ（１０）。
【請求項７】
前記カバー（２４）は、前記レザーカートリッジ（３８）が前記チャンバ（３６）内に挿入された時に前記カバー（２４）がたわむように、前記チャンバ（３６）の一部分上に片持ちされていることを特徴とする請求項６に記載のディスペンサ（１０）。
【請求項８】
前記第１の仕切り（２０）は、上側仕切り（４０）及び下側仕切り（４４）からなることを特徴とする請求項１に記載のディスペンサ（１０）。
【請求項９】
前記側ばね（２６）は、前記２つの側壁（１４）の一方に結合されていることを特徴とする請求項１に記載のディスペンサ（１０）。
【請求項１０】
前記側ばね（２６）は、前記レザーカートリッジ（３８）が前記チャンバ（３６）内に挿入された時に前記側ばね（２６）がたわむように、前記チャンバ（３６）内に幅方向に片持ちされていることを特徴とする請求項９に記載のディスペンサ（１０）。
【請求項１１】
少なくとも２つの側ばね（２６）が前記チャンバ（３６）内に延びており、前記２つの側壁（１４）の各々に少なくとも一方の側ばね（２６）が結合されていることを特徴とする請求項１に記載のディスペンサ（１０）。
【請求項１２】
前記レザーカートリッジ（３８）は、前記少なくとも２つの側ばね（２６）の間に摩擦係合されることを特徴とする請求項１１に記載のディスペンサ（１０）。
【発明の詳細な説明】
【技術分野】
【０００１】
本発明は一般的にはディスペンサに関し、特定的にはレザーカートリッジ用ディスペンサに関する。
【背景技術】
【０００２】
近代的なひげ剃り器は、レザーカートリッジ内に配置されている複数のブレードを含むことが多い。レザーカートリッジ自体は、使用時にハンドル上に取付けられる。幾つかの安全剃刀は再使用可能なハンドル上に取外し可能なように取付けられる使い捨てレザーカートリッジを有し、他の安全剃刀は単一の使い捨てユニットとして製造されたハンドル及びレザーカートリッジを有している。
【０００３】
使い捨てレザーカートリッジを使用するひげ剃り器においては、典型的には幾つかの（例えば、４個の）レザーカートリッジを１グループとして販売されている。典型的には、ユーザがレザーカートリッジを使用するためにハンドルに取付ける前及び／または後に、１個またはそれ以上のレザーカートリッジを選択的に保持するためのディスペンサが使用されている。
【０００４】
ディスペンサは、限定するものではないが、製造及び組立てが高価であること、またレザーカートリッジがディスペンサから不用意に脱落すること等を含む種々の欠陥を有していることが知られている。
【発明の開示】
【発明が解決しようとする課題】
【０００５】
以上に鑑みて、本発明の目的は、従来技術の既知の欠陥を解消することである。
【課題を解決するための手段】
【０００６】
本発明の一面によれば、１個またはそれ以上のレザーカートリッジのためのディスペンサは、ベース、２つの側壁、前壁、後壁、第１の仕切り、第２の仕切り、カバー、及び側ばねを含む。ベースは、ある長さと幅を有している。２つの側壁は、ベースに沿って長さ方向に走り、且つベースから上方へ延びている。前及び後壁はそれぞれ、ベースに沿って幅方向に走り、且つ２つの側壁の間をベースから上方へ延びている。第１の仕切りが前壁と後壁との間に配置され、２つの側壁の間を少なくとも部分的に延びている。第２の仕切りは第１の仕切りと前壁との間に配置され、２つの側壁の間を少なくとも部分的に延びて、第２の仕切りと第１の仕切りとの間にチャンバを形成している。このチャンバは、レザーカートリッジの少なくとも一部分を受入れるような大きさ及び形状である。カバーは第１の仕切りと第２の仕切りとの間のチャンバの上を部分的に延び、レザーカートリッジをチャンバ内へ挿入することを可能にする開口が得られるような大きさである。側ばねは、チャンバ内に幅方向に延びている。カバー及び側ばねは、レザーカートリッジがチャンバ内に挿入された時にレザーカートリッジと摩擦係合する。
【０００７】
本発明の一実施の形態によれば、少なくとも１つのチャンバは２つの側ばねを含み、側ばねは少なくとも１つのチャンバ内を幅方向に延びている。側ばねは、レザーカートリッジがチャンバ内に挿入された時に、レザーカートリッジと摩擦係合するように共同する。
【０００８】
本発明の別の実施の形態によれば、第１の仕切り及び後壁が共同してそれらの間にチャンバを形成する。このチャンバは、レザーカートリッジの少なくとも一部分を受入れるような大きさ及び形状である。
【０００９】
本発明のさらなる実施の形態によれば、上述したディスペンサは、前側仕切りを含むことができる。前側仕切りは、第２の仕切りと前壁との間に配置することができる。前側仕切りは、レザーカートリッジを挿入するための付加的な１つまたは複数のチャンバを形成するように動作可能である。
【００１０】
本発明のさらなる実施の形態によれば、上述したディスペンサは、後側仕切りを含むことができる。後側仕切りは、第１の仕切りと後壁との間に配置することができる。後側仕切りは、レザーカートリッジを挿入するための付加的な１つまたは複数のチャンバを作るように動作可能である。
【００１１】
本発明の１つの長所は、レザーカートリッジがチャンバ内に挿入された時に、１つまたは複数の側ばね及びカバーがレザーカートリッジと摩擦係合し、カートリッジがディスペンサから望ましくなく脱落するのを防ぐことである。
【００１２】
本発明の別の長所は、ディスペンサが複数のレザーカートリッジを確実に格納するように動作可能なことである。
【００１３】
本発明のこれらの、及び他の長所は、以下の添付図面に基づく詳細な説明から明白になるであろう。
【発明を実施するための最良の形態】
【００１４】
図１−２を参照する。本発明のディスペンサの全体を番号１０で示す。ディスペンサ１０は、ベース１２、２つの側壁１４、前壁１６、及び後壁１８を含む。ディスペンサ１０は更に、第１の仕切り２０、第２の仕切り２２、カバー２４、及び少なくとも１つの側ばね２６を含む。
【００１５】
ベース１２は、長さ（Ｌ）及び幅（Ｗ）を限定している。ベース１２は実質的に平坦であることも、または図２に示すようにベース１２は輪郭付けすることもできる。２つの側壁１４はベース１２の長さ方向に走り、且つベース１２から上方に延びている。前及び後壁１６、１８は各々、ベースの幅方向に走り、且つ２つの側壁１４の間をベース１２から上方に延びている。
【００１６】
例えば図２に示すように、幾つかの実施の形態のディスペンサ１０は、上側ディスペンサ部分２８及び下側ディスペンサ部分３０を含むことができる。しかしながら、他の実施の形態のディスペンサ１０は、単一の一体片で形成することができる。前者の実施の形態においては、上側及び下側ディスペンサ部分２８、３０は、何等かの適切な手法によって結合して使用することができる。例えば、ディスペンサ１０がポリマー材料で作られているような実施の形態においては、２つのディスペンサ部分２８、３０を互いに超音波溶接することができる。代替として、上側ディスペンサ部分２８及び下側ディスペンサ部分３０は、２つのディスペンサ部分２８、３０を結合するように動作可能な相補接続部材３２、３４を含むことができる。例えば、図２に示すように、上側ディスペンサ部分２８及び下側ディスペンサ部分３０を互いにスナップ嵌めすることによって単一のディスペンサ１０を形成させる。殆どの実施の形態においては、上側及び下側ディスペンサ部分２８、３０は通常の使用中に分離させることはできない。
【００１７】
図１−３を参照する。第１の仕切り２０は、前壁１６と後壁１８との間に配置され、２つの側壁１４の間の少なくとも一部分を延びている。好ましくは、図３に示すように、第１の仕切り２０の少なくとも一部分はベース１２の全幅を横切って側壁１４から側壁１４まで延びている。第２の仕切り２２は第１の仕切り２０と前壁１６との間に配置され、２つの側壁１４の間の少なくとも一部分にわたって延びている。第１及び第２の仕切り２０、２２は、一緒になってそれらの間にチャンバ３６を形成する。このチャンバは、レザーカートリッジ３８の少なくとも一部分を受入れるような大きさ及び形状である。好ましくは図４に示すように、第１及び第２の仕切り２０、２２は、チャンバ３６内に挿入されるレザーカートリッジ３８の形状と相補であるような外形である。更に好ましくは、第１及び第２の仕切り２０、２２の何れも、チャンバ３６内に挿入されるレザーカートリッジ３８のブレード（図示してない）と接触しないような形状である。
【００１８】
幾つかの実施の形態においては、第１及び第２の仕切り２０、２２はそれぞれ、上側部分及び下側部分からなることができる。換言すれば、第１の仕切り２０は第１の上側仕切り４０及び第１の下側仕切り４２を含むことができ、第２の仕切り２２は第２の上側仕切り４４及び第２の下側仕切り４６を含むことができる。例えば、図２に関連して上述したように、ディスペンサ１０が上側ディスペンサ部分２８及び下側ディスペンサ部分３８を含む場合には、第１の上側仕切り４０及び第２の上側仕切り４４は上側ディスペンサ部分２８の一部であることができ、第１の下側仕切り４２及び第２の下側仕切り４６は下側ディスペンサ部分３０の一部であることができる。
【００１９】
カバー２４は第１の仕切り２０と第２の仕切り２２との間のチャンバ３６上を部分的に延びている。カバー２４は、レザーカートリッジ３８をチャンバ３６内へ挿入できるように、レザーカートリッジ３８を選択的に通過させる開口が得られるような大きさである。幾つかの実施の形態においては、図１に示す実施の形態のように、カバー２４は第１の仕切り２０に結合され、後壁１８に向かう方向にチャンバ３６上を延びている。代替として、図示してないが、カバーを第２の仕切り２２に結合し、前壁１６に向かう方向にチャンバ３６上を延ばすことができる。別の代替においては、カバー２４を１つまたはそれ以上の側壁１４に取付け、チャンバ３６上を幅方向に延ばすことができる。前壁１６及び前側仕切り５２（後述）によって前チャンバ５０が形成されているような更に別の代替においては、前カバー５４は前壁１６と一体であることができる（例えば、図１参照）。しかしながら、これらは単なる例示に過ぎず、本発明はこれらの例に限定されるものではないことを理解されたい。例えば図２に示すように、好ましくは、カバー２４はレザーカートリッジ３８をチャンバ３６内に挿入した時にカバー２４がたわんでカバー２４とレザーカートリッジ３８との間に摩擦係合が発生するように、チャンバ３６または前チャンバ５４上に片持ちされている。
【００２０】
図５を参照する。少なくとも１つの側ばね２６が幅方向にチャンバ３６内へ延びている。幾つかの実施の形態においては、側ばね２６は２つの側壁１４の一方に結合され、他の実施の形態においては、側ばね２６はベース１２に結合されている。好ましくは、少なくとも２つの側ばね２６がチャンバ３６内を延びており、２つの側壁２６の各々に少なくとも１つの側ばね２６が結合されている。図１Ａに示すような対向する側ばね２６を有する実施の形態においては、レザーカートリッジ３８は少なくとも２つの側ばね２６の間に摩擦係合する。カバー２４と同様に、側ばね２６は、カートリッジ３８がチャンバ３６内に挿入された時に側ばね２６がたわんでカバー２４とレザーカートリッジ３８との間に摩擦係合を発生させるように、チャンバ３６内に幅方向に片持ちされていることが好ましい。しかしながら、図示はしてないが、側ばね２６が片持ちされている必要はない。代替として、側ばね２６は例えば、板ばねであることができる。
【００２１】
本発明の幾つかの実施の形態においては、ディスペンサ１０は、上述した第１及び第２の仕切り２０、２２と構造が類似している前側仕切り５２を含むことができる。図１に示すように、前側仕切り５２は第２の仕切り２２と前壁１６との間に配置することができる。これらの場合、レザーカートリッジ３８を挿入するためのチャンバ３６を前側仕切り５２と第２の仕切り２２との間に、及び／またはレザーカートリッジ３８を挿入するための前側チャンバ５０を前側仕切り５２と前壁１６との間に形成させることができる。図６に示すように、付加的なチャンバ３６、５０の各々も、上述したものと類似のカバー２４及び／または１つまたは複数の側ばね２６を含むことができる。
【００２２】
他の場合には、図６に示すように、後側仕切り５６を第１の仕切り２０と後壁１８との間に配置することができる。これらの場合には、レザーカートリッジを挿入するための１つまたは複数のチャンバ３６を後側仕切り５６と第１の仕切り２０との間に、及び／または後側仕切り５６と後壁１８との間に（即ち、後側チャンバ５８を）形成させることができる。図６に示すように、付加的なチャンバ３６、５８の各々も、上述したものと類似のカバー２４及び／または１つまたは複数の側ばね２６を含むことができる。
【００２３】
本発明のさらなる実施の形態においては、ディスペンサ１０は、前側及び／または後側仕切り５２、５６に加えて、第１の仕切り２０と後側仕切り５６との間に、及び／または第２の仕切り２２と前側仕切り５２との間に付加的な仕切り（図示してない）を含ませ、より多くのチャンバを形成させることができる。各付加的なチャンバ（図示してない）も、上述したものと類似のカバー２４及び／または１つまたは複数の側ばね２６を含むことができる。ディスペンサ１０に追加される付加的な仕切りの数は、典型的には、ディスペンサ１０内に格納することを望むレザーカートリッジの数によって限定される。
【００２４】
ディスペンサ１０は、典型的には単一の型の材料、好ましくはモールドされたポリマー材料で作られる。しかしながら、ディスペンサ１０は、例えば金属を含む如何なる適切な材料で作ることも可能である。
【００２５】
全ての図面を参照されたい。使用に際して、１個またはそれ以上のレザーカートリッジ３８がディスペンサ１０のチャンバ内に挿入される。挿入されたレザーカートリッジ３８はカバー及び少なくとも１つの側ばねをたわませ、レザーカートリッジとカバー及び１つまたは複数の側ばねの両者との間に摩擦係合を発生する。この摩擦係合は、ユーザがレザーカートリッジをディスペンサ１０から選択的に取出すまで、１個または複数のレザーカートリッジをディスペンサ１０内に維持する。
【００２６】
以上に開示した実施の形態に対して、特許請求の範囲に記載されている本発明の目的及び思想から逸脱することなく多くの変更及び変化が可能である。
【図面の簡単な説明】
【００２７】
【図１】本発明のディスペンサの一実施の形態の斜視図である。
【図１Ａ】カートリッジが挿入されている図１のディスペンサの斜視図である。
【図２】図１のディスペンサの分解図である。
【図３】図１のディスペンサの上面図である。
【図４】図３のディスペンサの４−４矢視断面図である。
【図５】図１のディスペンサの側面図である。
【図６】本発明のディスペンサの一実施の形態の斜視図である。
【図１】
2008537503.tif 000003
【図１Ａ】
2008537503.tif 000004
【図２】
2008537503.tif 000005
【図３】
2008537503.tif 000006
【図４】
2008537503.tif 000007
【図５】
2008537503.tif 000008
【図６】
2008537503.tif 000009
【国際調査報告】
2008537503.tif 000010
2008537503.tif 000011